(57)【特許請求の範囲】
【請求項１】
テーパ形状に形成された一対の対向する楔体を電線に装着し、２つ割状のクランプ本体の対向面内に押し込んで、前記電線を挟持する楔形引留クランプにおいて、
前記楔体は、
鋼心をとりまくアルミ線と外枠アルミ線とで、２層または３層の成型層、もしくはそれ以上の多層構造で形成され、断面外形が楕円形を有して延在するとともに長さ方向に捻回させた形状を備える捻回楕円電線に適合し、
この捻回楕円電線に両側から対向して挟持するように装着して、前記クランプ本体に押し込むことで挟持力を加え、
前記捻回楕円電線を対向して挟持する挟持面に、前記捻回楕円電線の捻回により回転する楕円形の断面外形に合わせた形状を有して前記捻回楕円電線を掌握する凹部を備え、
前記回転する楕円形の断面外形の傾きに合わせて、前記凹部の両側面に高さを交互に高く設けて波状に形成した側壁が設けられる、ことを特徴とする楔形引留クランプ。
【請求項２】
請求項１に記載の楔形引留クランプにおいて、
前記楔体の凹部は、前記捻回楕円電線の楕円断面における長軸の長さＣ及び短軸の長さＤに対し、Ｃ＋（３〜６）ｍｍの長軸寸法及びＤ＋（３〜６）ｍｍの短軸寸法によって楕円状の凹面に形成されることを特徴とする楔形引留クランプ。
【請求項３】
請求項１に記載の楔形引留クランプにおいて、
前記捻回楕円電線は、前記楔体の先端で楕円断面の長軸方向が水平になるように配置されて短軸方向から前記楔体により挟持されていることを特徴とする楔形引留クランプ。
【請求項４】
請求項１に記載の楔形引留クランプにおいて、
前記捻回楕円電線は、中心に亜鉛メッキ鋼線からなる鋼心を設けて前記鋼心の外側を硬アルミ線を寄り合わせて楕円形状に形成されるとともに、長さ方向に捻回した低風圧形状の架空送電線であることを特徴とする楔形引留クランプ。
【発明の詳細な説明】
【０００１】
【発明の属する技術分野】
本発明は、楔形引留クランプに係り、より詳細には架空送電線を挟持する楔形引留クランプに関する。
【０００２】
【従来の技術】
従来の電線は、一般的に断面が円形のものが多く使用されており、これを、例えば、鉄塔などの所定位置に引留めたり、あるいは、クランプ把持したりする場合に楔形引留クランプを使用している。しかし近年、このような電線は、鉄塔に作用する荷重の回避、及び電線横振れの抑制などの特殊な効果を期待した特殊電線が数多く開発されている。従って、従来の楔形引留クランプは、このような抗力低減、風騒音やコロナ騒音の低減、あるいは、ギャロッピングなどの振動面に配慮した種々の形状を備える電線を効果的に把持できるように形成していた。このような従来の楔形引留クランプとしては、例えば、第２５４８７９４号特許公報に開示されている。図９は、このような鉄塔に装着した従来の楔形引留クランプを示す図である。また、図１０は、図９に示した楔形引留クランプ３０の詳細を示す斜視図である。また、図１１は、図１０に示した矢印Ｊ方向から見たクランプ本体３２に楔体６０ａ、６０ｂを圧入する動作を示す動作説明図であり、図１１（ａ）は圧入前の状態を、図１１（ｂ）は圧入後の状態を各々示している。また、図１２は、図１０に示した電線４０の内部構造を示す図である。また、図１３は、図１０に示した楔体６０を示す斜視図である。
【０００３】
図９に示すように、従来の楔形引留クランプ３０は、鉄塔５０の所定位置に複数装着され、この所定位置で電線４０を挟持して引き留めするように形成されている。また、この楔形引留クランプ３０は、図１０に示すように、２つ割りに開閉可能なクランプ本体３２と、鉄塔５０（図９参照）に接続される連結金具３６と、この連結金具３６とクランプ本体３２とを連結する連結板３４とを備えている。また、クランプ本体３２内には、テーパ形状に形成された一対の楔体６０ａ、６０ｂが電線４０を挟持した状態で装着されている。
【０００４】
ここで、一対の楔体６０ａ、６０ｂは、電線４０を両側から挟持してボルト１により締結するとともに、２つ割りに開閉するクランプ本体３２を外側から図１１（ａ）に示すように装着する。この際、楔体６０ａ、６０ｂには、側面に図１１（ａ）に示した挿入位置線Ｍが刻印されている。この挿入位置線Ｍは、楔体６０ａ、６０ｂがボルト１により固定された位置から図１１（ａ）に示した間隔Ｌの位置に刻印されている。そして、楔体６０ａ、６０ｂは、図示されていないが圧力ゲージを備えた加圧装置により、圧力ゲージが指定挿入圧力になるまでクランプ本体３２に圧入する。このように楔体６０ａ、６０ｂが指定挿入圧力になるまで圧入されると、挿入位置線Ｍの位置が図１１（ｂ）に示すように、クランプ本体３２の一端側に一致する。このように楔体６０ａ、６０ｂは、クランプ本体３２内に圧入することで電線４０に予め所定の押し込み掌握力を与える。
【０００５】
そして、この楔体６０ａ、６０ｂを圧入したクランプ本体３２は、図９に示した鉄塔５０に一端側を引き寄せて連結金具３６（図１０参照）により連結される。この際、楔体６０ａ、６０ｂは、クランプ本体３２とともに電線４０により図１１（ｂ）に示した矢印Ｋ方向に引っ張られる。また、楔体６０ａ、６０ｂは、間隔Ｌ内にテーパ形状に延在する外形（クランプ本体３２に圧入されないテーパ形状の外形）を残している。従って、このテーパ形状の外形は、例えば、電線４０に矢印Ｋ方向の過大な力が加わった場合にクランプ本体３２内に押し込まれ、電線４０に挟持力を加える構造になっている。また、このような楔体６０ａ、６０ｂは、図１１（ｂ）に示したように、ボルト２によりジャンパ金具３５が取り付けられ、電線４０を鉄塔５０にたるませた状態で下方に延在させて支持（図９参照）している。
【０００６】
ここで、電線４０は、図１２に示すように、断面が略円形に形成され、中心に亜鉛メッキ鋼線からなる鋼心４２と、この鋼心４２の外側を覆って断面が円形状のアルミ線４４と、このアルミ線４４の外側を円環状に覆ってブリッジ層を形成した外枠アルミ線４６とにより形成されている。そして、外枠アルミ線４６には、円環状の外側に一部突出するヒレ４８ａ、４８ｂを２箇所形成している。このヒレ４８ａ、４８ｂは、図１３に示すように、電線４０の外周に２本平行して螺旋状に延在している。このように電線４０は、外周にヒレ４８を螺旋状に巻き付けたように設けることで、風による抗力低減、風騒音やコロナ騒音の低減などの効果を得ることができる。
【０００７】
また、一対の楔体６０ａ、６０ｂは、図１３に示したように、電線４０を挟持する両側に一対に設けてあり、この電線４０が延在する長さ方向に延在して電線４０が引っ張られる方向（図１１に示した矢印Ｋ方向）に向かって厚みが細くなるように傾斜させてテーパ状に形成している。この一対の楔体６０ａ、６０ｂには、対向する挟持面に各々半円形状の凹部６２を形成している。この凹部６２には、ヒレ４８ａ、４８ｂを嵌入するヒレ溝６４が形成されている。このヒレ溝６４は、凹部６２の底部に位置する図１３に示した幅Ｎをヒレ４８の厚みとほぼ同じ幅に形成し、この底部から延在して凹部６２の両側面に配置される図１３に示した幅Ｏはヒレ４８の厚みより広く形成している。従って、楔体６０は、図１３に示した幅Ｏを広く形成することにより電線４０が伸長した際にもヒレ４８ａ、４８ｂを変形することなく全長にわたって良好に挟持することができる。
【０００８】
一方、このように楔体６０にヒレ溝６４を形成した従来の楔形引留クランプとは異なり、電線にカラーを装着して円形の断面形状にすることで挟持する楔体の他の実施の形態がある。このような従来技術としては、例えば、実公平４−１２７４５号公報などに開示されている。図１４は、このようなカラーを使用して挟持する図１３に示した楔体の他の実施の形態を示す斜視図である。また、図１５は、図１４に示したＰ−Ｐ線の断面を示す断面図である。
【０００９】
図１４に示すように、楔体の他の実施の形態は、電線７０を挟持する両側に一対に設けてあり、この電線７０が延在する長さ方向に延在し、電線７０が引っ張られる方向に向かって厚みが細くなるように傾斜させてテーパ状に形成している。また、この楔体８０ａ、８０ｂは、対向する挟持面にヒレ溝を形成することなく半円形状の凹部８２だけを形成している。従って、楔体８０により挟持される電線７０は、楔体８０の凹部８２を半円形状に形成しているため、断面形状が円形に形成されていることが要求される。
【００１０】
そこで、電線７０は、一対のカラー９０ａ、９０ｂを装着可能に形成して楔体８０により挟持できるように形成している。この電線７０は、図１５に示すように、中心に亜鉛メッキ鋼線からなる鋼心７２と、この鋼心７２の外側を覆う断面が円形状のアルミ線７４と、このアルミ線７４の外側を覆って円環状のブリッジ層を形成する外枠アルミ線７６とにより形成されている。そして、外枠アルミ線７６には、風の抗力低減、風騒音低減、及びコロナ騒音の低減などの効果を得るために外側に突出するヒレ７８を設けてある。このヒレ７８は、図１３に示したヒレとは異なり、電線７０の外周に１本（図１４参照）螺旋状に巻き付けたように設けてある。このように、電線７０は、外周に１本のヒレ７８を螺旋状に突出させて設け、前述した一対のカラー９０ａ、９０ｂを装着できるように形成している。
【００１１】
これにより電線７０は、図１５に示すように、カラー９０を装着して断面形状を円形状に形成でき、図１４に示した楔体８０で効果的に挟持できるようになる。ここで、図示していないが、このようなカラーを使用するものとは異なり、ヒレの高さと同じ直径のアーマーロッドを巻いて全体の外形を円形としたものが知られている。このようなアーマーロッドを使用した従来技術としては、例えば、実公平３−１４９０７号公報に開示されている。
【００１２】
このように従来の楔形引留クランプは、電線の外周にヒレを設けて風の抗力低減、風騒音低減、及びコロナ騒音の低減などの効果を得ており、このようなヒレを備えた電線を挟持するためにヒレ溝を設けた楔体、カラー、アーマーロッドなどの把持部材を設けて効果的に挟持していた。
しかしながら、従来の楔形引留クランプでは、図１２乃至図１５に示したように、電線４０、７０を楔体６０、８０により挟持する際、楔体６０、８０による掌握力が円環状のブリッジ層を備えた外枠アルミ線４６、７６により鋼心４２、７２およびアルミ線４４、７４にまで加わらず、電線４０、７０の掌握力が十分に得られないという不具合があった。
【００１３】
【発明が解決しようとする課題】
このように、従来の楔形引留クランプでは、図１２乃至図１５に示したように、楔体６０、８０が電線４０、７０を挟持した際、外枠アルミ線４６、７６のブリッジ層により楔体６０、８０の掌握力が鋼心４２、７２まで伝わらず、電線４０、７０を効果的に挟持する掌握力が十分に得られないという不具合があった。
本発明はこのような課題を解決し、楔体の掌握力を鋼心まで加えることができ、電線を効果的に挟持できる楔形引留クランプを提供することを目的とする。
【００１４】
【課題を解決するための手段】
本発明は上述の課題を解決するために、テーパ形状に形成された一対の対向する楔体を電線に装着し、２つ割状のクランプ本体の対向面内に押し込んで、電線を挟持する楔形引留クランプであって、この楔体は、鋼心をとりまくアルミ線と外枠アルミ線とで、２層または３層の成型層、もしくはそれ以上の多層構造で形成され、断面外形が楕円形を有して延在するとともに長さ方向に捻回させた形状を備える捻回楕円電線に適合し、この捻回楕円電線に両側から対向して挟持するように装着して、クランプ本体に押し込むことで挟持力を加え、捻回楕円電線を対向して挟持する挟持面に、捻回楕円電線の捻回により回転する楕円形の断面外形に合わせた形状を有して捻回楕円電線を掌握する凹部を備え、回転する楕円形の断面外形の傾きに合わせて、凹部の両側面に高さを交互に高く設けて波状に形成した側壁が設けられる。
【００１５】
ここで、楔体の凹部は、捻回楕円電線の楕円断面における長軸の長さＣ及び短軸の長さＤに対してＣ＋（３〜６）ｍｍの長軸寸法及びＤ＋（３〜６）ｍｍの短軸寸法によって楕円状の凹面に形成されることが好ましい。また、楔体は、捻回楕円電線の捻回により回転する楕円断面の傾きに合わせて凹部の両側壁の高さを交互に高く設けて波状に形成することが好ましい。また、捻回楕円電線は、楔体の先端で楕円断面の長軸方向が水平になるように配置されて短軸方向から楔体により挟持されていることが好ましい。また、捻回楕円電線は、中心に亜鉛メッキ鋼線からなる鋼心を設けてこの鋼心の外側を硬アルミ線を寄り合わせて楕円形状に形成されるとともに、長さ方向に捻回した低風圧形状の架空送電線であることが好ましい。
【００１６】
【発明の実施の形態】
次に、添付図面を参照して本発明による楔形引留クランプの実施の形態を詳細に説明する。図１は、本発明による楔形引留クランプの実施の形態に使用する楔体２０を示す斜視図である。また、図２は、図１に示した捻回楕円電線１０のＡ−Ａ線の断面を示す断面図である。また、図３は、図２に示した捻回楕円電線の断面構造を３層構造にした他の実施の形態を示す断面図である。また、図４は、図１に示した矢印Ｂ方向から見た側面図である。また、図５は、図４に示した捻回楕円電線１０を挟持する楔体２０の挟持状態を示す図であり、図５（ａ）は図４に示したＥ−Ｅ線断面での状態を、図５（ｂ）は図４に示したＦ−Ｆ線断面での状態を、図５（ｃ）は図４に示したＧ−Ｇ線断面での状態を、図５（ｄ）は図４に示したＨ−Ｈ線断面での状態を各々示している。また、図６は、図４に示したＧ−Ｇ線断面での捻回楕円電線１０に対する楔体２０の凹部２２寸法を示す断面図である。また、図７は、図１に示した楔体２０の先端部を示す斜視図である。また、図８は、図７に示したＩ−Ｉ線の断面を示す断面図である。
【００１７】
図１に示すように、本発明による楔形引留クランプの実施の形態は、図９及び図１０に示した従来技術と同様に、鉄塔などの設置部に連結金具（図示せず）により装着され、この連結金具に連結板（図示せず）を介して接続した２つ割りに開閉するクランプ本体（図示せず）を備えている。そして、このクランプ本体内には、テーパ形状に形成された一対の楔体２０ａ、２０ｂが電線を挟持した状態で押込まれている。また、本発明による楔形引留クランプの実施の形態は、図９及び図１０に示した従来技術とは異なり、楔体２０が挟持する電線が楕円断面を備えて延在する長さ方向に対して捻回させた低風圧形状を備える捻回楕円電線１０を使用している。また、一対の楔体２０ａ、２０ｂは、このような捻回楕円電線１０を挟持するため、従来技術とは異なり、捻回楕円電線１０の捻回形状に合わせた凹部２２を形成している。
【００１８】
ここで、捻回楕円電線１０は、図１に示したように、所定の長さに延在して長さ方向に捻回しており、図１２及び図１５に示した従来技術と同様に風の抗力低減、風騒音低減、及びコロナ騒音の低減などの効果を得ている。また、捻回楕円電線１０は、図２に示すように、断面が楕円形状に形成され、中心に亜鉛メッキ鋼線からなる鋼心１２と、この鋼心１２の外側を円形状に覆うアルミ線１４と、このアルミ線１４の外側を図２に示した長軸の長さＣ及び短軸の長さＤを備える楕円状に覆った外枠アルミ線１６とにより形成されている。このように、捻回楕円電線１０は、鋼心１２の外側をアルミ線１４と外枠アルミ線１６とにより２層に覆った構造に形成されている。ここで、捻回楕円電線１０は、前述した２層構造に限定されるものではなく、例えば、図３に示すように、鋼心の外側を３層に覆った構造に形成してもよい。
【００１９】
再び、図１を参照して、このように形成された捻回楕円電線１０は、両側から上下一対に配置した楔体２０ａ、２０ｂにより挟持される。この楔体２０ａ、２０ｂは、図１１に示した従来技術と同様に、捻回楕円電線１０を挟持してボルト（図示せず）により締結するとともに、２つ割りに開閉するクランプ本体（図示せず）に圧入するように形成している。また、楔体２０ａ、２０ｂは、クランプ本体に圧入する方向に傾斜するテーパ状の外形を備えている。このように楔体２０ａ、２０ｂは、テーパ状の外形をクランプ本体に圧入することで捻回楕円電線１０に予め所定の押し込み掌握力を与えるように形成している。そして、このクランプ本体は、図９に示した従来技術のように、鉄塔の一端側に引き寄せて連結金具により連結される。
【００２０】
また、楔体２０ａ、２０ｂは、クランプ本体内に圧入する際、図１１に示した従来技術と同様に、側面に設けた挿入位置線（図示せず）の予定挿入位置まで圧入し、この圧入方向と逆方向のクランプ本体一端側に圧入されないテーパ部が残るようにしている。従って、このテーパ部は、例えば、捻回楕円電線１０に過大な力が加わって引っ張られた場合、クランプ本体内に押し込まれ、捻回楕円電線１０に挟持力を加える構造になっている。
【００２１】
また、このような一対の楔体２０ａ、２０ｂには、対向する挟持面に各々捻回する捻回楕円電線１０の捻回形状に合わせて凹状に形成した凹部２２を備えている。この凹部２２の側面は、捻回楕円電線１０の捻回により回転する楕円断面（図２参照）の傾きに合わせて両側を支持する側壁２４が設けてあり、この側壁２４は、図４に示すように、両側で交互に高く突出した波形状に形成している。従って、このように形成された一対の楔体２０ａ、２０ｂは、側壁２４を設けることにより、捻回して傾く捻回楕円電線１０の外形を効果的に挟持することが可能になる。
【００２２】
ここで、捻回楕円電線１０は、鋼心１２をとりまくアルミ線１４と外枠アルミ線１６とが成型層を備え、しかも多重層を形成して円環状のブリッジ層として外部圧力に対しては非常に強固に形成されている。このため、図１２乃至図１５に示した従来の楔形引留クランプでは、捻回楕円電線１０の外側からアルミ線１４と外枠アルミ線１６とからなる外層を掌握したとしても、アルミ成型多重層を崩して中心の鋼心１２を把持することができず、規定の電線掌握力を十分に得ることができない。従って、本発明による楔形引留クランプは、このような捻回楕円電線１０のアルミ線１４と外枠アルミ線１６とからなる外層を崩して十分に鋼心１２まで掌握力を加えて挟持できるように形成したものである。
【００２３】
さらに詳しく説明すると、楔体２０は、捻回する捻回楕円電線１０の楕円断面に対して長軸方向に挟持する場合、図５（ａ）に示すように、側壁２４が楕円断面の短軸方向に平行して同じ高さに形成されている。これにより一対の楔体２０ａ、２０ｂは、捻回楕円電線１０の楕円断面に対して長軸方向に掌握力を加えて挟持する。
そして、捻回する捻回楕円電線１０の楕円断面が傾いた状態で挟持する場合、図５（ｂ）に示すように、片側の側壁２４を高く形成して他方の側壁２４を低く形成することで挟持している。このように側壁２４の高さを異なる高さに形成することにより、一対の楔体２０ａ、２０ｂの内部で発生する捻回楕円電線１０のズレを防止でき、掌握力が不安定になることを抑制することができる。
【００２４】
また、楔体２０は、捻回する捻回楕円電線１０の楕円断面に対して短軸方向に挟持する場合、図５（ｃ）に示すように、側壁２４が楕円断面の長軸方向に平行して図５（ａ）に示した断面での側壁２４と同様に同じ高さに形成されている。これにより一対の楔体２０ａ、２０ｂは、捻回楕円電線１０の楕円断面に対して短軸方向に掌握力を加えて挟持する。
さらに、楔体２０は、図５（ｄ）に示すように、捻回楕円電線１０が捻回して図５（ｂ）に示した楕円断面と逆方向に傾いた場合、図５（ｂ）に示した断面での側壁とは逆側の側壁２４が高くなるように形成されている。従って、図５（ｄ）に示した一対の楔体２０ａ、２０ｂは、図５（ｂ）に示した断面での楔体と同様に、内部で発生する捻回楕円電線１０のズレを防止し、掌握力が不安定になることを抑制することができる。
【００２５】
このように、楔体２０は、凹部２２の両側面に波形状の側壁２４を形成して捻回する捻回楕円電線１０を固定することで、内部で発生する捻回楕円電線１０のズレを防止して捻回楕円電線１０に安定した掌握力を加えることができるとともに、図２に示したアルミ線１４と外枠アルミ線１６とからなるブリッジ層を崩して効果的に鋼鉄１２を挟持することが可能になる。
ここで、楔体２０の凹部２２の形状は、図６に示すように、捻回楕円電線１０の楕円断面における長軸の長さＣ及び短軸の長さＤに対し、Ｃ＋（３〜６）ｍｍの長軸寸法及びＤ＋（３〜６）ｍｍの短軸寸法によって楕円状の凹面に形成することが好ましい。また、捻回楕円電線１０には、図６に示した楕円断面の面積が６１０ｍｍ2 、８１０ｍｍ2 、１１６０ｍｍ2 等のように種々のサイズがある。例えば、６１０ｍｍ2 サイズの捻回楕円電線１０は、楕円断面の長軸の長さＣを３８ｍｍ、短軸の長さＤを２７ｍｍにすることが望ましく、前述したＣ＋（３〜６）ｍｍの長軸寸法（即ち、４１〜４４ｍｍ）及びＤ＋（３〜６）ｍｍの短軸寸法（即ち、３０〜３３ｍｍ）による楕円状の凹部２２を備えた楔体２０により挟持することが最も好ましい。
【００２６】
また、捻回楕円電線１０は、図９に示した従来技術のように、楔型引留クランプにより鉄塔などの設置部間に延在して引留めされており、特に、図７に示すように、楔体２０の挟持方向に揺れが発生する。従って、図７に示した楔体２０の先端では、捻回楕円電線１０の楕円断面に対して、図８に示すように、短軸方向を挟持するように凹部２２（図１参照）を形成している。このように、楔体２０は、先端で挟持する捻回楕円電線１０を、楕円断面に対して短軸方向に挟持することで、図５（ａ）に示した長軸方向に挟持する場合に比べてアルミ線１４及び外枠アルミ線１６の応力を低減でき、鉄塔などの設置部における抗力を減少させることができる。
【００２７】
このように形成された本発明による楔型引留クランプを使用して捻回楕円電線１０を挟持すると、図５に示した全ての挟持状態において、楔体２０の掌握力が効果的に捻回楕円電線１０に加えられ、図２に示したアルミ線１４及び外枠アルミ線１６により形成されたブリッジ層が崩れて鋼心１２まで確実に掌握して挟持することが可能になる。
【００２８】
以上、本発明による楔型引留クランプの実施の形態を詳細に説明したが、本発明は前述した実施の形態に限定されるものではなく、その要旨を逸脱しない範囲で変更可能である。
例えば、捻回楕円電線の断面構造を２層または３層（図２及び図３参照）の構造に形成した実施の形態を説明したが、これに限定されるものではなく、複数の層からなる多層構造に形成してもよい。
【００２９】
【発明の効果】
このように本発明による楔型引留クランプによれば、楔体の掌握力が効果的に捻回楕円電線に加えられて鋼心まで確実に掌握して挟持することができるため、アルミ線により形成されたブリッジ層を効果的に崩すことができ、このアルミ線に掌握力が集中して切断してしまうことを防止することができる。
【図面の簡単な説明】
【図１】本発明による楔形引留クランプの実施の形態に使用する楔体を示す斜視図。
【図２】図１に示した捻回楕円電線のＡ−Ａ線の断面を示す断面図。
【図３】図２に示した捻回楕円電線の断面構造を３層構造にした他の実施の形態を示す断面図。
【図４】図１に示した矢印Ｂ方向から見た側面図。
【図５】図４に示した捻回楕円電線を挟持する楔体の挟持状態を示す図。
【図６】図４に示したＧ−Ｇ線断面での捻回楕円電線に対する楔体の凹部寸法を示す断面図。
【図７】図１に示した楔体の先端部を示す斜視図。
【図８】図７に示したＩ−Ｉ線の断面を示す断面図。
【図９】鉄塔に装着した従来の楔形引留クランプを示す図。
【図１０】図９に示した楔形引留クランプの詳細を示す斜視図。
【図１１】図１０に示した矢印Ｊ方向から見た楔形引留クランプを示す側面図。
【図１２】図１０に示した電線の内部構造を示す図。
【図１３】図１０に示した楔体を示す斜視図。
【図１４】カラーを使用して挟持する図１３に示した楔体の他の実施の形態を示す斜視図。
【図１５】図１４に示したＰ−Ｐ線の断面を示す断面図。
【符号の説明】
１０    電線
１２    鋼心
１４    アルミ線
１６    外枠アルミ線
２０ａ、２０ｂ  楔体
２２    凹部
２４    側壁
【図１】
0004323038.tif 000002
【図２】
0004323038.tif 000003
【図３】
0004323038.tif 000004
【図４】
0004323038.tif 000005
【図５】
0004323038.tif 000006
【図６】
0004323038.tif 000007
【図７】
0004323038.tif 000008
【図８】
0004323038.tif 000009
【図９】
0004323038.tif 000010
【図１０】
0004323038.tif 000011
【図１１】
0004323038.tif 000012
【図１２】
0004323038.tif 000013
【図１３】
0004323038.tif 000014
【図１４】
0004323038.tif 000015
【図１５】
0004323038.tif 000016